(57)【要約】  本発明は履き物に関し、より詳しくは、足裏下部に位置される中敷材と；前記中敷材に長手方向に沿って一部区間にかけて結合される金属性または磁性を有する固定体と；前記中敷材の上面または下面に配置される指圧体と；前記指圧体に結合され、前記固定体と磁力によって引かれる金属性または磁性を有する移動体と；を含んで構成されて、前記指圧体が移動可能になることを特徴とする移動可能な指圧体を有する履き物用中敷材料に関する。【選択図】図１
2012522619.tif 000002
【特許請求の範囲】
【請求項１】
足裏下部に位置される中敷材と；
前記中敷材に長手方向に沿って一部区間にかけて結合される金属性または磁性を有する固定体と；
前記中敷材の上面または下面に配置される指圧体と；
前記指圧体に結合され、前記固定体と磁力によって引かれる金属性または磁性を有する移動体と；を含んで構成されて、前記指圧体が移動可能になることを特徴とする移動可能な指圧体を有する履き物用中敷材料。
【請求項２】
前記指圧体は、硬質素材、弾性素材、空気が内装されたものの何れか一つであることを特徴とする請求項１に記載の移動可能な指圧体を有する履き物用中敷材料。
【請求項３】
前記指圧体と移動体はボルト、ナット構造で結合されて、前記指圧体の高さが調整できることを特徴とする請求項２に記載の移動可能な指圧体を有する履き物用中敷材料。
【請求項４】
前記指圧体は、空気が充填された素材や硬質素材、弾性素材の何れか一つからなる第１部材と、前記第１部材の下部面に結合されて、一側が開口され、内部が空の空間からなって、加圧の時空気を排出させる第２部材とで構成されることを特徴とする請求項１に記載の移動可能な指圧体を有する履き物用中敷材料。
【請求項５】
前記指圧体は、辺縁に突出されたフランジ部が形成され、前記フランジ部が掛けられる誘導孔が形成される誘導板が前記中敷材に結合されることを特徴とする請求項１に記載の移動可能な指圧体を有する履き物用中敷材料。
【請求項６】
前記指圧体と移動体はクッション体を媒介に連結されることを特徴とする請求項５に記載の移動可能な指圧体を有する履き物用中敷材料。
【請求項７】
前記中敷材は、移動体が移動する区間が陷沒されるか穿孔されるように形成されることを特徴とする請求項１乃至６の中の何れか一項に記載の移動可能な指圧体を有する履き物用中敷材料。
【請求項８】
前記中敷材は、移動体が移動する区間が陷沒されており、陷沒部に前記固定体が設置され、前記固定体の下面に一つ以上のクッション材が結合されることを特徴とする請求項１乃至５の何れか一項に記載の移動可能な指圧体を有する履き物用中敷材料。
【請求項９】
足裏下部に位置される中敷材と；
前記中敷材に長手方向に沿って一部区間にかけて形成されるガイドブロックと；
前記ガイドブロックに形成される複数の嵌合溝と；
下面に嵌合棒が形成されて、位置移動が可能な指圧体と；を含むことを特徴とする移動可能な指圧体を有する履き物用中敷材料。
【発明の詳細な説明】
【技術分野】
【０００１】
本発明は履き物に関し、より詳しくは、指圧体が備えられ、前記指圧体の位置が移動可能に構成されて、着用者の足裏形状に適する位置で足裏を支えることによって、指圧効果を向上させ、姿勢を正しく誘導し、且つ磁石による血液循環を極大化させることができる技術に関する。
【背景技術】
【０００２】
通常、足は第２の心臓と呼ばれており、足裏に対する関心が集中されるにつれて、最近では多様な機能が追加される履き物が発売されている。このような機能性履き物の中で血液循環改善等の効果を得るために足裏を指圧するための履き物が開示されている。
【０００３】
このような履き物は何れも足裏が接する中敷に突起を形成させるか、足裏を支える突出部が固定されたまま足裏に密着されて指圧及び支持する構造にするか、単純に上下に移動される構造で構成して、単純に足裏を持続的に圧迫する単純構造にされている。このような構造は体に伝達される衝撃を遮断する効果が些細で、突出部面が着用者の足裏構造と均一に一致しないことでむしろ痛症を与え、体の均衡が崩されるなどの問題点があった。
【０００４】
即ち、着用者の足裏のアーチ（足裏中心）部位の深さ及び位置に合わない位置に突出面が形成されることによって、長時間履き物を履いて歩行する場合、履き物が地面に着地される時はより高い圧力が加えられて、持続的な圧迫による痛症が誘発される。また、固定された突出面と足裏の構造が一致しなくて姿勢が崩され、衝撃も確かに吸収されないなどの問題で足が疲れやすい問題点もあった。
【発明の概要】
【発明が解決しようとする課題】
【０００５】
従って、本発明は履き物用中敷材料として、位置移動が可能な指圧体が備えられて着用者が任意にその位置を調節することができる履き物用中敷材料を提供することを目的とする。
【０００６】
また、指圧体の高さを調節することができ、磁石による体の血液循環も円滑にすることができる履き物用中敷材料を提供することを目的とする。
【課題を解決するための手段】
【０００７】
前記課題を達成するための本発明は、足裏下部に位置される中敷材と；前記中敷材に長手方向に沿って一部区間にかけて結合される金属性または磁性を有する固定体と；前記中敷材の上面または下面に配置される指圧体と；前記指圧体に結合されて前記固定体と磁力によって引かれる金属性または磁性を有する移動体と；を含んで構成されて、前記指圧体が移動可能になることを特徴とする移動可能な指圧体を有する履き物用中敷材料を提案する。
【０００８】
好ましくは、前記指圧体は、硬質素材、弾性素材、空気が内装されたものの何れか一つであることを特徴とする移動可能な指圧体を有する履き物用中敷材料を提案する。
【０００９】
好ましくは、前記指圧体と移動体はボルト、ナット構造で結合されて、前記指圧体の高さが調整できることを特徴とする移動可能な指圧体を有する履き物用中敷材料を提案する。
【００１０】
好ましくは、前記指圧体は、空気が充填された素材や硬質素材、弾性素材の何れか一つからなる第１部材と、前記第１部材の下部面に結合されて、一側が開口され、内部が空の空間からなって、加圧の時空気を排出させる第２部材とで構成されることを特徴とする移動可能な指圧体を有する履き物用中敷材料を提案する。
【００１１】
好ましくは、前記指圧体は、辺縁に突出されたフランジ部が形成され、前記フランジ部が掛けられる誘導孔が形成される誘導板が前記中敷材に結合されることを特徴とする移動可能な指圧体を有する履き物用中敷材料を提案する。
【００１２】
好ましくは、前記指圧体と移動体はクッション体を媒介に連結されることを特徴とする移動可能な指圧体を有する履き物用中敷材料を提案する。
【００１３】
好ましくは、前記中敷材は、移動体が移動する区間が陷沒されるか穿孔されるように形成されることを特徴とする移動可能な指圧体を有する履き物用中敷材料を提案する。
【００１４】
好ましくは、前記中敷材は、移動体が移動する区間が陷沒されており、陷沒部に前記固定体が設置され、前記固定体の下面に一つ以上のクッション材が結合されることを特徴とする移動可能な指圧体を有する履き物用中敷材料を提案する。
【００１５】
また、本発明では、足裏下部に位置される中敷材と；前記中敷材に長手方向に沿って一部区間にかけて形成されるガイドブロックと；前記ガイドブロックに形成される複数の嵌合溝と；下面に嵌合棒が形成されて、位置移動が可能な指圧体と；を含むことを特徴とする移動可能な指圧体を有する履き物用中敷材料を提案する。
【発明の効果】
【００１６】
本発明による履き物用中敷材料は移動可能な指圧体が備えられて、指圧体の位置を使用者が適切に調整することができ、指圧体の高さを調整することができて、歩行の時の圧迫強度を変化させることができるので、足裏に対する圧迫が強すぎて発生される痛症を減少しながら、所望の位置で足裏を支持することによって、姿勢も正しくし、磁石による血液循環も促進させることができて使用者の健康維持に役に立つことができるという効果を奏する。
【００１７】
また、一方では、履き物の内部の空気を流動させることができて、足の臭いを減少させることができ、各種細菌の繁殖を防ぐことができるという効果を奏する。
【図面の簡単な説明】
【００１８】
【図１】本発明の第１実施形態の概略的な主要部に対する分解構成図である。
【図２】組み立て状態の主要部に対する構成図である。
【図３】甲皮に中敷材が連結された状態に対する構成図である。
【図４】第２実施形態による履き物用中敷材料に対する概略的な断面図である。
【図５】第３実施形態による履き物用中敷材料の断面図である。
【図６】第４実施形態に対する概略的な構成図である。
【図７】女性用ヒールに本第４実施形態が適用された例を示す例示図である。
【図８】第５実施形態に対する概略的な部分斜視図である。
【図９】第６実施形態による構成を示す例示図である。
【図１０】第７実施形態に対する例示図である。
【図１１】第８実施形態に対する斜視図である。
【発明を実施するための形態】
【００１９】
以下、本発明による移動可能な指圧体を有する履き物用中敷材料についてより具体的な説明をする。本発明の技術的思想に対する理解をより明確にするための手段として関連図面を参照する。ただ、提示される図面は一つの好ましい実施形態を示すもので、他人による単純な構造的変更のような変形実施形態も本発明の技術的範囲に属するものと理解すべきである。
【００２０】
本発明の説明において、履き物用中敷材料とは、履き物の種類によって多様な意味に解釈されることができる。代表的には、中敷を意味することができ、若しくは中敷の下に位置されて、甲皮と連結される不織布のようなものを意味することもでき、 パルプ系不織布（ＴＥＸＯＮ）を意味することもでき、ミッドソールまたはサンダルのような履き物においては外部に露出される上部面を意味することができる。
【００２１】
本発明による移動可能な指圧体を有する履き物用中敷材料は、基本的に足裏下部に位置される中敷材１００と、前記中敷材１００に長手方向に沿って一部区間にかけて結合される金属性または磁性を有する固定体２００と、前記中敷材１００の上面または下面に配置される指圧体３００と、前記指圧体３００に結合され、前記固定体２００と磁力によって引かれる金属性または磁性を有する移動体４００とを含む。
【００２２】
従って、前記指圧体３００に連結される移動体４００が固定体２００と磁力によって拘束されることができ、また、必要に応じて指圧体３００の位置を変更させることもできて、着用者は体の条件によって最も楽に履くことができる履き物を構成することができる。
【００２３】
＜第１実施形態＞
本発明を構成する中敷材１００は履き物の種類によって多様な形態に構成されることができることについて言及しており、第１実施形態では主に運動靴類に適する中敷材に関する。
【００２４】
即ち、履き物の外観を形成する甲皮１０の下端縁に沿って裁縫等の方式で結合される中敷材１００として主に不織布のようなものを利用する。
【００２５】
実際履き物に製作される時には不織布からなる中敷材１００の上にインソールが配置され、中敷材の下部にはミッドソールが結合される。
【００２６】
図１は概略的な主要部に対する分解構成図であり、図２は組み立て状態の主要部に対する構成図であり、図３は甲皮に中敷材が連結された状態に対する構成図を示す。
【００２７】
中敷材１００に固定体２００が結合され、好ましくは足裏アーチ部に対応する領域に固定体２００が位置される。前記固定体２００は板状の金属性または磁性を有する磁石であることができ、前記中敷材１００の上面や下面に指圧体３００が位置される。前記指圧体３００には移動体４００が結合され、前記移動体４００も金属性または磁性を有することによって、固定体２００と磁力によって拘束されることができる。
【００２８】
前記固定体２００が金属性材質であれば、移動体４００は磁石であり、固定体２００が磁石であれば、移動体４００が金属材質であることが好ましい。また、前記指圧体３００は中敷材１００の上面または下面に位置されることができ、これは固定体２００の設置位置によって異なる。
【００２９】
即ち、本実施形態の場合、不織布からなる中敷材１００の下部面に金属性の板状固定体２００を付着させるようにし、前記中敷材１００の上面に指圧体３００を位置させる。
【００３０】
さらに好ましくは、前記中敷材１００には移動体４００が移動可能な区間を限定するために陷沒されるか穿孔される形態に形成され、この部分を制限溝１１０と呼ぶ。前記制限溝１１０は指圧体３００に結合される移動体４００が挿入される部分で、一直線形態または移動を防止するために屈曲された凹凸形態に形成されることができる。
【００３１】
また、前記指圧体３００は突出したドーム形状にすることが好ましく、硬い硬質素材か、発泡体のような弾性素材若しくは空気が内装された素材の中の一つで構成することができる。
【００３２】
さらに好ましくは、着用者が必要によって指圧体３００の高さを調整することができるようにするために、前記指圧体３００と移動体４００との間にボルトｂとナットｎを介在させる形態に提供されることができる。即ち、指圧体３００の下部面にナットｎが埋入された形態に設置し、移動体４００の上面にボルトｂを連結させるようにして、ボルト、ナット構造によって指圧体の高さを変化させることができる。
【００３３】
＜第２実施形態＞
次に、第２実施形態による履き物用中敷材料について説明する。図４はこれに対する概略的な断面図である。
【００３４】
図示したように、第２実施形態では中敷材１００に陷沒された区間である制限溝１１０が備えられ、前記制限溝１１０に金属性板状体である固定体２００が設置される。特に、前記固定体２００の下面には一つ以上のクッション体ｃが結合され、前記クッション体ｃは中敷材１００と固定される。前記クッション体ｃとしては、複数のスプリングまたは複数の発泡筒体を適用することができる。
【００３５】
前記固定体２００の上面に指圧体３００が位置され、前記指圧体３００には磁石である移動体４００が結合されて指圧体３００の位置を前後に移動させることができる。
【００３６】
＜第３実施形態＞
第３実施形態による移動可能な指圧体を有する履き物用中敷材料は、図５のような構成を有し、特に指圧体３００が第１部材３１０と第２部材３２０とで構成されることを特徴とする。
【００３７】
基本的には、中敷材１００に固定体２００を結合させるが、陷沒部位である制限溝１１０を隔てて中敷材１００の下部面に固定体２００を結合させる。そして、指圧体３００の上部を構成する第１部材３１０と前記第１部材３１０の下部面に結合される第２部材３２０及び前記第２部材３２０に形成される移動体４００を含む。
【００３８】
前記第１部材３１０は突出したドーム形状が相応しく、硬質素材や弾性素材または空気が充填される素材のうちの一つを選択することができる。そして前記第２部材３２０は、加圧された時空気を排出させることができるように、一側が開口され、内部は空の空間で形成される。前記第２部材３２０は弾性材質で形成され、歩行の時荷重が加えられると、第２部材３２０が圧縮されて空気を排出させるようになり、荷重が除去されると、元の形態に復元される。
【００３９】
本実施形態のような構成によれば、歩行の度ごとに第２部材から空気が吐出されて足裏を快適に維持することができる。
【００４０】
＜第４実施形態＞
次に、第４実施形態について説明すると、図６はこれに対する概略的な構成図である。本実施形態では前記中敷材１００が主にハイヒールや皮靴に適用されるパルプ系不織布（ＴＥＸＯＮ）である。
【００４１】
パルプ系不織布（ＴＥＸＯＮ）を中敷材１００とし、固定体２００は金属板体にする。前記固定体２００はパルプ系不織布の内部に位置され、大体足裏のアーチ部に対応する位置に陷沒された制限溝１１０を形成する。前記制限溝１１０の底に固定体２００が位置され、好ましくは制限溝１１０は凹凸形態に形成される。指圧体３００の下部面には移動体４００が結合され、前記指圧体３００の形状は突出したドーム形状等が可能である。
【００４２】
そして、指圧体３００は硬い硬質素材や弾性素材、空気が充填された素材のうちの一つであることができる。
【００４３】
また、図７は女性用ヒールに本第４実施形態が適用された例を示すもので、指圧体３００と移動体４００はボルトｂとナットｎによって結合されて、前記指圧体３００の高さが調節できるように構成されることが可能であることを示す。
【００４４】
＜第５実施形態＞
次に、第５実施形態について説明する。図８はこれに対する概略的な部分斜視図を示す。
【００４５】
基本的に中敷材（図示省略）に固定体（図示省略）が結合され、指圧体３００には移動体４００が連結され、前記指圧体３００の辺縁に沿ってフランジ部３３０が突出して形成され、誘導孔５１０が形成される誘導板５００が中敷材に結合されることによって、前記誘導板５００の下部に前記フランジ部３３０が掛けられるように構成される。前記指圧体３００は誘導孔５１０に沿って移動されることができ、フランジ部３３０が誘導板５００を離脱することができないので、安全性を高めることができる。
【００４６】
さらに好ましくは、前記指圧体３００と移動体４００はスプリングや発泡体のようなクッション体ｃを媒介に連結されることによって、指圧体３００に荷重が作用される場合、上下に動きながら指圧機能を提供することができる。
【００４７】
前記中敷材１００は言及された他の実施形態における中敷材と同じものであってもよく、その他にインソールやミッドソールも中敷材として使われることができる。
【００４８】
＜第６実施形態＞
図９は第６実施形態による構成を示すもので、サンダルのような履き物に本発明が適用される場合に関する。
【００４９】
図示したように、足裏が接触される中敷材１００は外部に露出されており、前記中敷材１００の上面に移動可能な指圧体３００が設置される。即ち、中敷材１００に陷沒された制限溝１１０を隔ててその底には固定体２００が設置され、指圧体３００の下面には移動体４００が形成されて、着用者は指圧体３００の位置を調整しながら履くことができる。
【００５０】
＜第７実施形態＞
第７実施形態は履き物のインソールを中敷材とする場合で、図１０はこれに対する例示図に対応する。
【００５１】
図示したように、中敷材１００であるインソールの中心部に足裏アーチ部位を支えることができるように指圧体３００を設置する。固定体２００をインソールの底面に付着させ、上面に指圧体３００を形成して、指圧体３００に結合された移動体４００が固定体２００と磁力による拘束されることができるように構成される。もちろん、前記指圧体３００と移動体４００との間にボルト、ナット構造を構成して前記指圧体の高さを調節可能に構成することができる。
【００５２】
また、指圧体３００はインソールの上面だけではなく下面に形成することもでき、好ましくは陷沒された制限溝１１０を形成する構造にして、制限溝１１０の範囲内で指圧体３００の位置を移動させることができるようにすることが好ましい。
【００５３】
当然、前記中敷材１００の下面に前記指圧体３００を設置することもでき、これも前記指圧体の移動が可能である。
【００５４】
＜第８実施形態＞
次に、また他の形態の履き物用中敷材料について説明する。図１１はこれに対する概略的な斜視図である。
【００５５】
本実施形態による履き物用中敷材料は、その構成要素として中敷材１００、ガイドブロック６００、嵌合溝６１０、指圧体３００を含み、図示したように、前記指圧体３００は中敷材１００に対してその位置移動が可能な構造であり、これを達するために、前記中敷材１００に長手方向に沿って部分的にガイドブロック６００が形成される。
【００５６】
本実施形態の場合、大体中敷材１００の中心部にガイドブロック６００を結合させる。前記ガイドブロック６００には複数の嵌合溝６１０が形成される。前記嵌合溝６１０は指圧体３００の下部に突出して形成される嵌合棒３４０が挿入されることができるもので、凹凸形態を形成されるか、円形溝に形成されることができる。
【００５７】
前記ガイドブロック６００は硬質素材で形成して、嵌合溝６１０に結合される嵌合棒３４０が固定されることができるように構成することが好ましい。
【００５８】
以上で説明したように、本発明は多様な履き物に適用されることができ、中敷材は履き物の種類によってインソールであったり、不織布のようなものであったり、若しくはミッドソール、パルプ系不織布（ＴＥＸＯＮ）などであることができ、言及された実施形態で意味する中敷材はその中の一つであることができ、具体的な例に限定されない。
【００５９】
即ち、パルプ系不織布（ＴＥＸＯＮ）や不織布形態の中敷材を例として説明する場合、その中敷材はインソールやミッドソールであってもよい。
【産業上の利用可能性】
【００６０】
本発明による移動可能な指圧体を有する履き物用中敷材料は、着用者によって指圧体の位置を移動させることができ、指圧体の高さも調節することができるという長所を有し、磁石による体の血液循環に役に立ち、既存の製品より優れた利点で、実際多様な履き物類に適用されることができることと予想される。
【図１】
2012522619.tif 000003
【図２】
2012522619.tif 000004
【図３】
2012522619.tif 000005
【図４】
2012522619.tif 000006
【図５】
2012522619.tif 000007
【図６】
2012522619.tif 000008
【図７】
2012522619.tif 000009
【図８】
2012522619.tif 000010
【図９】
2012522619.tif 000011
【図１０】
2012522619.tif 000012
【図１１】
2012522619.tif 000013
【国際調査報告】
2012522619.tif 000014
2012522619.tif 000015
2012522619.tif 000016
2012522619.tif 000017